(57)【要約】【課題】トラクタ等のサイドビューライト（側方灯）は、夜間、側方の畝の有無や畝と車両との間隔等を確認するために点灯するものであって、路上走行時では消灯する。しかしながら、実作業において、オペレーターは、手動操作で点灯、消灯を行う構成では、消し忘れが課題となっている。【解決手段】本発明は、上記課題を解決するために、車体にヘッドライトとサイドビューライト３とワークランプ５とを設けたトラクタ等の作業車両において、該ワークランプ５の消灯に連携して前記サイドビューライト３も消灯する構成とした。また車両の高速走行状態でもサイドビューライト３を消灯する構成とした。【選択図】  図１
2005186665.tif 000002
【特許請求の範囲】
【請求項１】
車体１の前部に、前方を照射するヘッドライト２と側方を照射するサイドビューライト３とを設けた作業車両４において、前記ヘッドライト２やサイドビューライト３より高い位置にワークランプ５が装備され、該ワークランプ５の消灯に連携して前記サイドビューライト３も消灯する構成とした作業車両のサイドビューライト。
【請求項２】
前記サイドビューライト３は、作業車両４の走行速度が路上速度に切り替わると、連携して消灯する構成とした請求項１記載の作業車両のサイドビューライト。
【請求項３】
前記サイドビューライト３は、作業車両４の走行速度が路上速度に切り替わり自動的に消灯された後において、路上速度で走行中に手動操作で点灯することができる構成とした請求項２記載の作業車両のサイドビューライト。
【請求項４】
前記サイドビューライト３は、作業車両４に装備している作業切替ダイヤル６によって「前輪増速」以外の走行位置を選択すると、消灯する構成とした請求項１記載の作業車両のサイドビューライト。
【発明の詳細な説明】
【技術分野】
【０００１】
この発明は、農業用トラクタ等に設けているヘッドライト、サイドビューライト、ワークランプの中で、サイドビューライトを他の操作に連携させて自動消灯する装置に関するものである。
【背景技術】
【０００２】
従来から農業用トラクタ等は、前方を照射するヘッドライト（前照灯）と、側方を照らすサイドビューライト（側方灯）と、作業位置を照らすためのワークランプ等が設けられ、夜間作業を安全に行うことができる構成としている。
【０００３】
そして、既に、公開されている特開２００３−７１０６号公報には、図１２、乃至図１４に示されるように、前方を照らす前照灯と、その側方位置の下側に側方を照らすための側方灯と、該側方灯の上側に方向指示器（灯）とをそれぞれ設けたトラクタが示されている。
【特許文献１】特開2003-7106号（図１２〜図１４）
【発明の開示】
【発明が解決しようとする課題】
【０００４】
上述した公報に記載された発明は、側方灯を手動スイッチによってオン、オフ操作するか、又は、左右の方向指示器のオン、オフ操作に連携して対応する側の側方灯がオン、オフ操作する構成が示されている。そのため、上記発明は、旋回時に旋回側を照らしながら安全に旋回することができる構成になっている。
【０００５】
一般に、側方灯は、圃場内における作業時に側方の状態（例えば、畝の有無や畝と作業車両との間隔、或いは作物の有無や作物と作業車両との間隔等）を確認するために点灯するものであって、通常、路上走行時には、必要がなく、又、他の車両に迷惑になるので消灯する。しかしながら、実作業において、オペレーターは、手動によって側方灯をオン、オフ操作して点灯、消灯を行う構成では、消し忘れが多く発生し課題となっている。
【課題を解決するための手段】
【０００６】
本発明は、上記課題を解決するために、請求項１に記載した発明は、車体１の前部に、前方を照射するヘッドライト２と側方を照射するサイドビューライト３とを設けた作業車両４において、前記ヘッドライト２やサイドビューライト３より高い位置にワークランプ５が装備され、該ワークランプ５の消灯に連携して前記サイドビューライト３も消灯する構成とした作業車両のサイドビューライトであって、例えば、農作業において作業を終ったトラクタが路上走行に移るとき、ワークランプ５を消灯するとそれに連携して自動的にサイドビューライト３も消灯されるものであるから、サイドビューライト３の消し忘れを未然に防止することができる。
【０００７】
つぎに、請求項２に記載した発明は、前記サイドビューライト３は、作業車両４の走行速度が路上速度に切り替わると、連携して消灯する構成とした請求項１記載の作業車両のサイドビューライトであって、例えば、変速レバーを操作して路上速度に切り替えるか、又は、車速が上昇しこれが検知されるとサイドビューライト３が自動的に消灯される。
【０００８】
従って、一般路上での高速走行時に、サイドビューライトの消し忘れは、起こることはない。
【０００９】
また請求項３に記載した発明は、前記サイドビューライト３は、作業車両４の走行速度が路上速度に切り替わり自動的に消灯された後において、路上速度で走行中に手動操作で点灯できる構成とした請求項２記載の作業車両のサイドビューライトであって、路上速度に切り替えられるとそれに連携して自動消灯されたサイドビューライト３を、その後の走行中に必要に応じて手動操作で点灯できるから、例えば、農道等を高速で走行する途中で、側方の水路等を確認するために点灯して安全に走行できる。
【００１０】
つぎに、請求項４に記載した発明は、前記サイドビューライト３は、作業車両４に装備している作業切替ダイヤル６によって「前輪増速」以外の走行位置を選択すると、消灯する構成とした請求項１記載の作業車両のサイドビューライトであって、通常、前輪増速への切り替え操作は、圃場作業に入って作業に移るときに行うものであるから、それ以外の位置を選択するときにはサイドビューライト３は必要度が低く、自動消灯してオペレータの負担を軽減できるものとなっている。
【発明の効果】
【００１１】
まず請求項１に記載した発明は、例えば、農作業においてトラクタによる作業を終って路上走行に移るとき、ワークランプ５を消灯するとそれに連携して自動的にサイドビューライト３も消灯されるものであるから、サイドビューライト３の消し忘れを未然に防止する効果を有するものである。
【００１２】
また請求項２に記載した発明は、例えば、変速レバーを操作して路上速度に切り替えたり、走行系の駆動軸が高速に回転するのを検知するとサイドビューライト３が連携して自動的に消灯される。このように、サイドビューライト３は、路上速度に変速して走行を開始すると、自動的に消灯され、消し忘れの心配はなくなる。
【００１３】
また請求項３に記載した発明は、路上速度に切り替えられるとそれに連携して自動消灯されたサイドビューライト３を、その後、路上速度で走行中であっても、必要に応じて手動操作で点灯することができるから、例えば、農道等を高速で走行する途中で、側方の水路を確認するために手動によるスイッチ３１操作で点灯し、側方の安全を確認して走行できる特徴がある。
【００１４】
また請求項４に記載した発明は、通常、前輪増速への切り替え操作は、濡尾業用トラクタを圃場に入れて作業に移るとき行うものであるから、それ以外への切替ではサイドビューライト３を自動消灯することでオペレータの操作上の負担を軽減し、消し忘れが防止できる特徴がある。
【発明を実施するための最良の形態】
【００１５】
この発明は、作業車両、例えば、農業用トラクタ４におけるサイドビューライト３に関し、サイドビューライト３の消灯を、ワークランプ５の消灯や路上走行速度への変速に連携して、自動消灯する構成にして、オペレータの消し忘れを未然に防止し、オペレータの操作上の負担を軽減する装置に関するものである。
【００１６】
以下、添付図面に基づいて具体的に説明する。
【００１７】
最初にトラクタの全体構成について説明する。
【００１８】
トラクタ４は、図３及び図４に示すように、ボンネットカバー７の内部にエンジンＥを内装し、このエンジンＥの回転動力がミッションケース８内の各変速装置を経由して左右の前後輪９Ｆ，９Ｒに伝達して走行する構成としている。そして、キャビン１０は、図面に示すように、前記トラクタ４の車体１上に搭載され、室内には操縦座席が設けられ、その周囲に各操作機構を集中させて配置しトラクタ４を操縦する構成としている。
【００１９】
また前記キャビン１０内のフロア１１には、図５と図６に示すように、合成樹脂をブロア成形し、中空部を形成したマット１２が敷かれ、中央のフロア１１から連続して左右両側のスッテプ１３部分を一体に形成して敷き詰めて構成している。そして、上記マット１２の中空部には、発泡樹脂材１４を充填した状態に形成した構成としている。
【００２０】
このように、マット１２は、フロア１１、及びステップ１３の全体に一枚で敷き詰められるように一体に成型し、内空には発泡樹脂材１４を充填した構成にしている。したがって、マット１２は、軽くて取り扱いが容易にできると共に、一枚もので構成したから、従来の分割マットに比較して部品としての点数を減らす効果がある。更に、実施例に係るマット１２は、キャビン１０内に敷き詰めることによって、内空に充填した発泡樹脂材１４の特性のために、防振、防音効果を発揮できる特徴がある。
【００２１】
また前記キャビン１０は、図７乃至図９に示すように、キャビンドア１５の内側に前後方向の支持パイプ１６を取り付け、同パイプ１６に、カップホルダー兼用アームレスト１７を左右に回動自在に支持する構成としている。前記アームレスト１７は、プレート部の上下一面を水平状とし、反対面にカップ等を位置決めする凹部を備える構成としている。これにより、飲み物のカップ置く場合には、図７に示すように、前記アームレスト１７を車体外側、即ちキャビンドア１５側に回動位置させて前記凹部を上面として使用し、台帳や車両の取扱説明書などを載置する時には、図８に示すように、前記アームレスト１７を車体内側、即ち極力操縦席側へ回動位置させて使用する構成となっている。
【００２２】
次にこの発明のトラクタ４の各種ライトについて説明する。
【００２３】
トラクタ４は、図３及び図４に示すように、前記ボンネット７前部に左右一対のヘッドライト２，２が設けられ、キャビン１０室内に設けられた図外のスイッチによってＯＮ、ＯＦＦ操作する構成としている。そして、サイドビューライト３，３は、トラクタ４の左右両側において、上記ヘッドライト２の位置から若干後ろに寄った横外側に設けられ、点灯するとトラクタ４の前方から後方にかけて、側方位置を照らす構成となっている。そして、前記サイドビューライト３も、キャビン１０室内に図示しないスイッチによってＯＮ、ＯＦＦ操作する構成としている。
【００２４】
またワークランプ５，５は、キャビン１０の前部左右で上側のルーフ１８のすぐ下（軒下の部位）と、同キャビン１０の後ろ側上部左右に設けられ、それぞれトラクタ周囲の作業位置を照射する構成としている。そして、上記ワークランプ５は、それぞれのキャビン１０室内の図示しないスイッチに接続され、ＯＮ、ＯＦＦ操作によって点灯、消灯する構成となっている。
【００２５】
また前記ワークランプ５は、図面に示すように、ヘッドライト２より高い位置に設けられ、上から下に向けて照射する構成としている。
【００２６】
つぎに、この発明の制御部となるコントローラ２０について、
前記コントローラ２０は、図１に示すように、変速スイッチ２８、変速設定状態を検出する副変速位置センサ２４及び主変速位置センサ２５と、前輪回転センサ２６、後輪回転センサ２７と、トラクタ４の作業が走行であるか各種の作業状態であるかを指定する作業切換ダイヤル６と、夫れ夫れのライトを点灯操作するヘッドライトスイッチ１９、サイドビューライトスイッチ３１、ワークランプスイッチ３２とを接続して操作、或いは検出情報が入力される構成となっている。
【００２７】
またコントローラ２０の出力側には、変速用の制御弁のソレノイド３３…、前後進切替用の制御弁のソレノイド３４と、ヘッドライト２，２、ワークランプ５…と、サイドビューライト３，３とをそれぞれ接続して構成している。
【００２８】
尚、前記作業切換ダイヤル６には、農業用トラクタ４には周知の車両の旋回時に前輪９Ｆの周速を後輪９Ｒよりも増速して駆動する所謂「前輪増速制御」を作動させる設定ポジションが設けられている。
【００２９】
以上のように構成したトラクタ４では、図２に示すように、まず第１の実施例は、サイドビューライト３が、ワークランプ５をスイッチ３２の操作によって、消灯すると、連携して消灯する構成としている。この場合、コントローラ２０は、ワークランプスイッチ３２がＯＦＦ操作されると、この操作情報が入力されて、ワークランプ５とサイドビューライト３とに消灯の制御信号を出力して消灯する構成としている。
【００３０】
つぎに、第２の実施例は、副変速操作において、操作レバーを路上走行とされる高速位置に操作すると、サイドビューライト３が消灯される構成となっている。この場合、コントローラ２０は、副変速位置センサ４から検出情報が入力されると、これに連携して前記サイドビューライト３に消灯の信号を出力する。
【００３１】
このように、トラクタ４は、高速走行するときにはサイドビューライト３を自動消灯して走行できるから、消し忘れによって、点灯状態のまま走行して他の車両に迷惑をかけることがなくなる。
【００３２】
尚、前記トラクタ４の高速走行を検知する構成は、前記前後輪回転センサ２６，２７、即ち車両の走行系駆動軸の回転を検出することにより検知する構成としても良い。
【００３３】
つぎに、第３の実施例は、前記作業切替ダイヤル６を「走行」ポジションに切り替えると、サイドビューライト３を消灯する構成としている。この場合、コントローラ２０は、作業切替ダイヤル６から切替情報が入力されると、制御信号を出力して変速操作がされ、同時にサイドビューライト３に消灯の信号を出力する。
【００３４】
このように、トラクタ４は、路上を走行するときにはサイドビューライト３を自動消灯して走行できるから、消し忘れによって、点灯状態のまま走行して他の車両に迷惑をかけることがなくなる。
【００３５】
また上記トラクタ４では、サイドビューライト３を一旦自動で消灯して路上速度で走行中に、必要に応じてサイドビューライト３を点灯できる構成としている。この場合、コントローラ２０は、トラクタ４が路上速度に変速されて走行中には、サイドビューライト３に消灯の制御信号を出力して消しているが、サイドビューライトスイッチ３１をＯＮ操作すると、サイドビューライト３が再点灯する構成としている。
【００３６】
実作業では、トラクタ４は、舗装された農道や比較的平坦なあぜ道等を走行しているとき、道端の水路や土手などを確認するために、点灯したいとき等に有効であり、安全な走行が出来る利点がある。
【００３７】
つぎに、第５の実施例は、前記第３の実施例に代えて、作業切換ダイヤル６で「前輪増速」を選択していないときには、消灯する構成としている。通常、「前輪増速」を作業切替ダイヤル６で選択するときは、圃場における作業中であるから、点灯状態とし、それ以外の切替位置では、消灯する構成としたものである。
【００３８】
以上述べたように、この発明に係るコントローラ２０は、図２のフローチャートに示すように、それぞれの実施例ごとに入力される操作信号、又は、検出情報に基づいて制御して、制御信号を出力することになる。このようにして、点灯状態にあるサイドビューライト３は、自動的に消灯されて、オペレータの操作負担を軽減し、消し忘れを解消できるものとなっている。
【図面の簡単な説明】
【００３９】
【図１】自動制御機構のブロック図。
【図２】自動制御のフロチャート。
【図３】トラクタの正面図。
【図４】トラクタの側面図。
【図５】キャビン内に敷いたマットの斜面図。
【図６】マットの断面図。
【図７】アームレストの斜面図。
【図８】カップホルダの斜面図。
【図９】上記図７と図８との両位置を示す作用図。
【符号の説明】
【００４０】
１  車体
２  ヘッドライト
３  サイドビューライト
４  トラクタ
５  ワークランプ
６  作業切替ダイヤル
【図１】
2005186665.tif 000003
【図２】
2005186665.tif 000004
【図３】
2005186665.tif 000005
【図４】
2005186665.tif 000006
【図５】
2005186665.tif 000007
【図６】
2005186665.tif 000008
【図７】
2005186665.tif 000009
【図８】
2005186665.tif 000010
【図９】
2005186665.tif 000011